(57)【要約】【課題】音楽を含む第１の音響信号と音声を含む第２の音響信号とを同時に音響として出力する場合に、音声の内容を聞き取りやすくすると共に、第１の音響信号の出力レベルが必要以上に防止するのを抑制する音響出力制御装置を提供する。【解決手段】第１の音響信号と第２の音響信号とを同時に出力する場合に出力の制御を行う音響出力制御装置１００であって、音楽の特性を含む音楽情報を記録するデータ保持部１２と、音楽の特性に基づいて、第１の音響信号と第２の音響信号とを同時に出力する際に最適な出力レベルに関する最適レベル情報を取得する最適レベル情報取得部と、最適レベル情報に基づいて、第１の音響信号および第２の音響信号の少なくとも一方の出力レベルを調整する音響制御処理部１６とを有する。【選択図】図１
2008096483.tif 000002
【特許請求の範囲】
【請求項１】
音楽に関する第１の音響信号と、電気的に生成された合成音声もしくは通信により得られる音声を含む第２の音響信号とを同時に出力する場合に前記出力の制御を行う音響出力制御装置であって、
前記音楽の特性を含む音楽情報を記録する音楽情報記録部と、
前記音楽の特性に基づいて、前記第１の音響信号と前記第２の音響信号とを同時に出力する際に最適な出力レベルに関する最適レベル情報を取得する最適レベル情報取得部と、
前記最適レベル情報に基づいて、前記第１の音響信号および前記第２の音響信号の少なくとも一方の出力レベルを調整する出力レベル調整部と
を有する音響出力制御装置。
【請求項２】
請求項１に記載の音響出力制御装置であって、
前記最適レベル情報取得部は、
前記音楽の時間的な特性に基づいて複数の時間帯の区間に区分し、さらに前記区分における前記出力レベルが所定値未満であれば特定区間、前記特定区間以外の区間を通常区間とし、前記特定区間および前記通常区間毎に前記最適レベル情報を取得し、
前記出力レベル調整部は、
前記特定区間および前記通常区間毎の前記最適レベル情報に基づいて、前記第１の音響信号および前記第２の音響信号の少なくとも一方の出力レベルを調整する音響出力制御装置。
【請求項３】
請求項１に記載の音響出力制御装置であって、
前記音楽情報は、前記音楽における各周波数に対する出力レベルに関する周波数出力情報を有し、
前記最適レベル情報取得部は、
前記周波数出力情報に基づいて、前記出力レベルの小さい周波数成分を示す最適合成ピッチ情報を取得し、
前記出力レベル調整部は、
前記最適合成ピッチ情報に基づいて、前記第２の音響信号の周波数特性を調整する音響出力制御装置。
【請求項４】
請求項１ないし３のいずれか１項に記載の音響出力制御装置であって、
前記最適レベル情報取得部は、
前記音楽の特性に基づいて、前記最適レベル情報もしくは前記最適合成ピッチ情報の少なくとも一方を生成する音響出力制御装置。
【請求項５】
請求項１ないし３のいずれか１項に記載の音響出力制御装置であって、
前記音楽情報は、
前記音楽のアーティストに関するアーティスト情報を有し、
前記出力レベル調整部は、
前記アーティスト情報に基づいて、前記第１の音響信号および前記第２の音響信号の少なくとも一方の出力レベル、もしくは前記第２の音響信号の周波数特性を調整する音響出力制御装置。
【請求項６】
請求項１ないし３のいずれか１項に記載の音響出力制御装置であって、
前記音楽情報は、
前記音楽のジャンルに関する音楽ジャンル情報を有し、
前記出力レベル調整部は、
前記音楽ジャンル情報に基づいて、前記第１の音響信号および前記第２の音響の少なくとも一方の出力レベル、もしくは前記第２の音響信号の周波数特性を調整する音響出力制御装置。
【請求項７】
請求項１ないし３のいずれか１項に記載の音響出力制御装置であって、
前記音楽情報は、
前記音楽の音源が制作された年代を表す年代情報を有し、
前記出力レベル調整部は、
前記年代情報に基づいて、前記第１の音響信号および前記第２の音響の少なくとも一方の出力レベル、もしくは前記第２の音響信号の周波数特性を調整する音響出力制御装置。
【請求項８】
請求項１に記載の音響出力制御装置であって、
前記出力レベル調整部は、
前記第１の音響信号に含まれるボーカル成分の出力レベルを前記ボーカル成分以外の成分の出力レベルに比べて抑制する音響出力制御装置。
【請求項９】
請求項１に記載の音響出力制御装置であって、
前記出力レベル調整部は、
前記第１の音響信号に含まれるボーカル成分の信号の定位を変更する音響出力制御装置。
【請求項１０】
請求項１ないし３のいずれか１項に記載の音響出力制御装置であって、
入力操作を行う入力部を有し、
前記出力レベル調整部は、
前記入力部による入力操作に基づいて、前記最適レベル情報取得部によって取得される最適レベル情報もしくは最適合成ピッチ情報の内容を修正する音響出力制御装置。
【請求項１１】
請求項１ないし３のいずれか１項に記載の音響出力制御装置であって、
前記最適レベル情報取得部は、
通信ネットワークで接続された前記音楽情報を有する音楽情報データベースとの通信を行うことで、前記音楽情報データベースから前記最適レベル情報および前記最適合成ピッチ情報の少なくとも一方を取得する音響出力制御装置。
【請求項１２】
請求項１に記載の音響出力制御装置であって、
前記第２の音響信号として含まれる通話の信号レベルを監視する通話音監視部を有し、
前記出力レベル調整部は、
前記通話音監視部による監視によって無音状態が検出された場合、前記最適レベル情報に基づいた音響出力レベルの調整を一時的に解除する音響出力制御装置。
【請求項１３】
音楽に関する第１の音響信号と、電気的に生成された合成音声もしくは通信により得られる音声を含む第２の音響信号とが同時に出力される場合に前記出力の制御が行われる音響出力制御方法であって、
前記音楽の特性を含む音楽情報が記録されるステップと、
前記音楽の特性に基づいて、前記第１の音響信号と前記第２の音響信号とが同時に出力される際に最適な出力レベルに関する最適レベル情報が取得されるステップと、
前記最適レベル情報に基づいて、前記第１の音響信号および前記第２の音響信号の少なくとも一方の出力レベルが調整されるステップと
を有する音響出力制御方法。
【発明の詳細な説明】
【技術分野】
【０００１】
本発明は、同じ時間帯に、音楽に関する第１の音響信号と、電気的に生成された合成音声もしくは通信の受信により得られる音声を含む第２の音響信号とを並行して、もしくはミキシングした状態で同時に出力することが可能な音響出力装置を制御するための音響出力制御装置、音響出力制御方法に関し、例えば音楽プレーヤを搭載した携帯電話端末や、音楽プレーヤを搭載したカーナビゲーション装置のような音響出力装置を制御するために利用できる。
【背景技術】
【０００２】
例えば、最近の携帯電話端末においては、内蔵のハードディスクや脱着自在な半導体メモリカードのような記憶装置上に事前に蓄積しておいた様々な音楽データを必要に応じて取り出し、音響として再生し利用者に聞こえるように出力する音楽プレーヤの機能を搭載するものがある。また、最近の携帯電話端末においては、電気的な処理により任意の音声信号を生成する音声合成機能を搭載すると共に、この合成音声を利用して着信通知の出力やメール内容の読み上げなどを行う機能を搭載するものが多い。
【０００３】
従って、音楽プレーヤの機能を搭載した携帯電話端末においては、音楽プレーヤを利用して所望の音楽を視聴しているときに、着信通知が合成音声として出力されたり、着信したメールの内容が合成音声として出力されることがある。また、音楽プレーヤを利用して所望の音楽を視聴している途中で、同時に携帯電話端末の通話機能を利用して通話を開始する場合もある。
【０００４】
つまり、音楽プレーヤから出力される音楽に関する第１の音響信号と、電気的に生成された合成音声（着信通知など）もしくは通信の受信により得られる音声を含む第２の音響信号とが同時に音響として出力され、利用者に聞こえることになる。
【０００５】
このように、複数の独立した音響が同時に出力される場合には、複数の音響の少なくとも１つが利用者にとって聞き取りにくくなってしまう。従って、例えば携帯電話端末においては着信通知やメール読み上げの合成音声が聞き取りにくくなってしまう。
【０００６】
このような問題の対策として、次のような制御技術が提案している（例えば、特許文献１参照）。
１．メールや着信があった場合に、音楽再生(第一音声)を停止して音声情報(第二音声)だけを出力する。
２．メールや着信があった場合に、音楽再生(第一音声)の区切り位置まで待ってから音楽再生を停止して通知する。
３．メールや着信があった場合に、音楽再生の音量を通常よりも落として音楽と合成音声とを同時に出力する。
４．再開後の音響再生の再生速度を速める。
【特許文献１】特開２００１−２３６２０５号公報
【発明の開示】
【発明が解決しようとする課題】
【０００７】
特許文献１に開示されているように、音楽再生の音量を通常よりも落として音楽と合成音声とを同時に出力する場合には、確かに合成音声の聞き取りにくさを改善することが可能である。しかしながら、利用者が合成音声を常に聞き取れるとは限らず、音楽と合成音声との類似度が高い場合には特許文献１の技術を採用したとしても聞き取りにくくなるのが実情であるという事情がある。
【０００８】
例えば、音声を含まない音楽を再生している途中で合成音声により同時に着信通知のようなアナウンスを行う場合であれば、アナウンスの内容は比較的聞き取りやすいが、男性ボーカルの音声を含む音楽を再生している途中で、男性の声に似た合成音声により同時にアナウンスを行う場合には、アナウンスの内容は非常に聞き取りにくい傾向がある。
【０００９】
特許文献１の技術を採用する場合に、常にアナウンスの内容が聞き取れるようにするためには、再生する音楽の音量を非常に小さくしなければならず、結果的に音楽再生を停止した場合と同様に、音楽は利用者にほとんど聞こえない状況になってしまう。
【００１０】
本発明は、上記事情を鑑みてなされたものであって、音楽の再生により得られる第１の音響信号と、アナウンスのような合成音声や通話音声などを含む第２の音響信号とを同時に音響として出力する場合に、第２の音響信号の音声の内容を聞き取りやすくすると共に、第１の音響信号の出力レベルが必要以上に低下するのを防止することが可能な音響出力制御装置および音響出力制御方法を提供することを目的とする。
【課題を解決するための手段】
【００１１】
上記目的を達成するために、本発明の第１の音響出力制御装置は、音楽に関する第１の音響信号と、電気的に生成された合成音声もしくは通信により得られる音声を含む第２の音響信号とを同時に出力する場合に前記出力の制御を行う音響出力制御装置であって、前記音楽の特性を含む音楽情報を記録する音楽情報記録部と、前記音楽の特性に基づいて、前記第１の音響信号と前記第２の音響信号とを同時に出力する際に最適な出力レベルに関する最適レベル情報を取得する最適レベル情報取得部と、前記最適レベル情報に基づいて、前記第１の音響信号および前記第２の音響信号の少なくとも一方の出力レベルを調整する出力レベル調整部とを有する構成としている。
【００１２】
音楽を再生する場合、それぞれの音楽毎に、音響特性すなわち周波数スペクトラムにおけるエネルギー分布や、その経時変化の程度が全く異なる。従って、音楽を含む第１の音響信号と、合成音声等を含む第２の音響信号とを同時に出力する場合の合成音声等の聞き取りやすさについては、再生する音楽毎に変わる。
【００１３】
この構成により、再生する音楽情報の特性に基づいて、第１の音響信号の出力レベルと第２の音響信号の出力レベルとの望ましい比率に対応する最適レベル情報を取得し、この最適レベル情報に従って、第１の音響信号及び第２の音響信号の少なくとも一方の出力レベルを自動的に調整する。このため、再生する音楽毎に、第１の音響信号と第２の音響信号との出力レベルの比率を最適化することができ、音楽の出力レベルを必要以上に低減することなく、合成音声等の聞き取りやすさを良好な状態に維持することができる。
【００１４】
なお、最適レベル情報については、音楽毎に予め定数データとして所定の記憶装置上に保持しておいても良いし、必要に応じて音楽のデータもしくはその管理情報を利用して特性の分析を行い算出しても良い。
【００１５】
また、本発明の第２の音響出力制御装置は、前記最適レベル情報取得部が、前記音楽の時間的な特性に基づいて複数の時間帯の区間に区分し、さらに前記区分における前記出力レベルが所定値未満であれば特定区間、前記特定区間以外の区間を通常区間とし、前記特定区間および前記通常区間毎に前記最適レベル情報を取得し、前記出力レベル調整部が、前記特定区間および前記通常区間毎の前記最適レベル情報に基づいて、前記第１の音響信号および前記第２の音響信号の少なくとも一方の出力レベルを調整する構成としている。
【００１６】
音楽を再生する場合、その音響出力は時間の変化に伴って大きくなったり小さくなったりを繰り返すのが一般的である。特に、例えば曲と曲との区切りの区間では音響出力が非常に小さくなるし、音声（ボーカル）を含む楽曲の途中であっても、曲の区切りである間奏部分では音声成分はなくなり伴奏成分だけになる。つまり、曲の区切り部分とそれ以外の通常部分とでは音楽の音響特性が大きく異なる。
【００１７】
この構成により、第１の音響信号に対応付けられた音楽情報を、音楽上の区切りを表す特定区間と前記特定区間以外の通常区間とに区分して、特定区間及び通常区間のそれぞれについて独立した最適レベル情報を取得するので、第１の音響信号と第２の音響信号との出力レベルの比率を特定区間及び通常区間のそれぞれについて最適化することができる。
【００１８】
また、本発明の第３の音響出力制御装置は、前記音楽情報が、前記音楽における各周波数に対する出力レベルに関する周波数出力情報を有し、前記最適レベル情報取得部が、前記周波数出力情報に基づいて、前記出力レベルの小さい周波数成分を示す最適合成ピッチ情報を取得し、前記出力レベル調整部が、前記最適合成ピッチ情報に基づいて、前記第２の音響信号の周波数特性を調整する構成としている。
【００１９】
例えば、男性の声（ボーカル）を含む音楽と、男性の声に似た合成音声とを同時に出力する場合には、音楽上の声の周波数帯域と合成音声の周波数帯域とが近いため、これらの音声は非常に聞き取りにくくなる。一方、女性の声（ボーカル）を含む音楽と、男性の声に似た合成音声とを同時に出力する場合には、音楽上の声の周波数帯域と合成音声の周波数帯域とが離れているため、これらの音声（合成音声）は比較的聞き取りやすい。つまり、周波数特性を考慮することにより、音声の聞き取りやすさが改善される。
【００２０】
この構成により、音量レベルの小さい周波数成分を表す最適合成ピッチ情報を取得し、この最適合成ピッチ情報に従って第２の音響信号として出力する合成音声の周波数特性を自動的に制御する。このため、再生する音楽の音響出力が小さい（音声成分が少ない）周波数に合わせて合成音声を出力することができ、合成音声の聞き取りやすさが改善される。
【００２１】
また、本発明の第４の音響出力制御装置は、前記最適レベル情報取得部が、前記音楽の特性に基づいて、前記最適レベル情報もしくは前記最適合成ピッチ情報の少なくとも一方を生成する構成としている。
【００２２】
この構成により、例えば実際にそれぞれの音楽を再生して得られる音響信号のレベルを評価することにより、最適レベル情報を生成できる。また、それぞれの音楽を再生して得られる音響信号のレベルを短い時間（例えば１秒）毎に評価することにより、前述の特定区間を認識でき、各区間毎に最適レベル情報を生成できる。また、それぞれの音楽を再生して得られる音響信号の周波数毎に音量特性を評価することにより、前述の最適合成ピッチ情報を生成できる。
【００２３】
また、本発明の第５の音響出力制御装置は、前記音楽情報が、前記音楽のアーティストに関するアーティスト情報を有し、前記出力レベル調整部が、前記アーティスト情報に基づいて、前記第１の音響信号および前記第２の音響信号の少なくとも一方の出力レベル、もしくは前記第２の音響信号の周波数特性を調整する構成としている。
【００２４】
様々な音楽には、それに関連付けられた主要なアーティスト、すなわち歌手あるいは演奏者が存在する。このアーティストの違いは、音楽の音響特性と大きな相関がある。つまり、ボーカルの有無や、ボーカルの音域（周波数特性）や、演奏の音域（楽器の違いに応じた周波数特性）などがアーティストの違いによって変化する。
【００２５】
この構成により、第１の音響信号に対応する音楽情報に関連付けられたアーティスト情報を利用するので、それぞれの音楽を実際に再生して特性を評価しなくても、音響特性をある程度推定することができる。また、アーティスト情報を利用することで、より適切な評価も可能になる。
【００２６】
また、本発明の第６の音響出力制御装置は、前記音楽情報が、前記音楽のジャンルに関する音楽ジャンル情報を有し、前記出力レベル調整部が、前記音楽ジャンル情報に基づいて、前記第１の音響信号および前記第２の音響の少なくとも一方の出力レベル、もしくは前記第２の音響信号の周波数特性を調整する構成としている。
【００２７】
様々な音楽には、それに関連付けられたジャンル、すなわちクラシック、ジャズ、ポップス、ロックのような音楽の分類が存在する。このジャンルの違いは、音楽の音響特性と大きな相関がある。つまり、ボーカルの有無や、音域（周波数特性）などがジャンルに応じて大きく変化する傾向がある。
【００２８】
この構成により、第１の音響信号に対応する音楽情報に関連付けられたジャンル情報を利用するので、それぞれの音楽を実際に再生して特性を評価しなくても、音響特性をある程度推定することができる。また、ジャンル情報を利用することで、より適切な評価も可能になる。
【００２９】
また、本発明の第７の音響出力制御装置は、前記音楽情報が、前記音楽の音源が制作された年代を表す年代情報を有し、前記出力レベル調整部が、前記年代情報に基づいて、前記第１の音響信号および前記第２の音響の少なくとも一方の出力レベル、もしくは前記第２の音響信号の周波数特性を調整する構成としている。
【００３０】
様々な音楽の特性は、それが制作もしくは録音された年代の違いを反映して大きく変化する傾向がある。すなわち、録音に使用する機材の違いや、年代によるアーティストの思想の違いを反映して、音楽の音響特性に大きな違いが生じている。
【００３１】
この構成により、第１の音響信号に対応する音楽情報に関連付けられた年代情報を利用するので、それぞれの音楽を実際に再生して特性を評価しなくても、音響特性をある程度推定することができる。また、年代情報を利用することにより適切な評価も可能になる。
【００３２】
また、本発明の第８の音響出力制御装置は、前記出力レベル調整部が、前記第１の音響信号に含まれるボーカル成分の出力レベルを前記ボーカル成分以外の成分の出力レベルに比べて抑制する構成としている。
【００３３】
この構成により、第１の音響信号に含まれるボーカル成分の出力レベルを他の音響成分に比べて抑制するので、第２の音響信号に含まれる音声又は合成音声を聞き取りやすくなる。すなわち、第２の音響信号の聞き取りにくくする原因の多くは、音楽に含まれるボーカル（音声）成分なので、ボーカル成分の出力レベルを抑制すれば、音楽全体の出力レベルを大きく低下させなくても、第２の音響信号は聞き取りやすくなる。
【００３４】
また、本発明の第９の音響出力制御装置は、前記出力レベル調整部が、前記第１の音響信号に含まれるボーカル成分の信号の定位を変更する構成としている。
【００３５】
この構成により、第１の音響信号に含まれるボーカル成分の信号を所定の音声定位処理により空間的な定位を調整するので、第２の音響信号に含まれる音声又は合成音声を聞き取りやすくなる。すなわち、ステレオ音響のように立体的な音響の場合には、視聴者には空間上の位置毎に複数の音源が独立して存在するように聞こえるので、例えばボーカルと合成音声との２つの音源が互いにずれた位置に存在するように定位させることにより、合成音声の内容が聞き取りやすくなる。
【００３６】
また、本発明の第１０の音響出力制御装置は、入力操作を行う入力部を有し、前記出力レベル調整部が、前記入力部による入力操作に基づいて、前記最適レベル情報取得部によって取得される最適レベル情報もしくは最適合成ピッチ情報の内容を修正する構成としている。
【００３７】
この構成により、利用者の入力操作に従って前記最適レベル情報の内容を修正できるので、前記最適レベル情報が適切でない場合の対応や、利用者の好みに応じた音量比率の最適化が可能になる。
【００３８】
また、本発明の第１１の音響出力制御装置は、前記最適レベル情報取得部が、通信ネットワークで接続された前記音楽情報を有する音楽情報データベースとの通信を行うことで、前記音楽情報データベースから前記最適レベル情報および前記最適合成ピッチ情報の少なくとも一方を取得する構成としている。
【００３９】
この構成により、１つの音楽情報データベースを複数の利用者が共有することができる。
【００４０】
また、本発明の第１２の音響出力制御装置は、前記第２の音響信号として含まれる通話の信号レベルを監視する通話音監視部を有し、前記出力レベル調整部が、前記通話音監視部による監視によって無音状態が検出された場合、前記最適レベル情報に基づいた音響出力レベルの調整を一時的に解除する構成としている。
【００４１】
この構成により、第２の音響信号の信号レベルが無音状態になった時に、自動調整を一時的に解除して、第１の音響信号の出力レベルを通常レベルに戻すことができるので、例えば電話で通話中に第１の音響信号の音楽を通話相手に聴かせることもできる。
【００４２】
また、本発明の第１の音響出力制御方法は、音楽に関する第１の音響信号と、電気的に生成された合成音声もしくは通信により得られる音声を含む第２の音響信号とが同時に出力される場合に前記出力の制御が行われる音響出力制御方法であって、前記音楽の特性を含む音楽情報が記録されるステップと、前記音楽の特性に基づいて、前記第１の音響信号と前記第２の音響信号とが同時に出力される際に最適な出力レベルに関する最適レベル情報が取得されるステップと、前記最適レベル情報に基づいて、前記第１の音響信号および前記第２の音響信号の少なくとも一方の出力レベルが調整されるステップとを有する方法としている。
【００４３】
この方法により、音楽の再生により得られる第１の音響信号と、アナウンスのような合成音声や通話音声などを含む第２の音響信号とを同時に音響として出力する場合に、第２の音響信号の音声の内容を聞き取りやすくすると共に、第１の音響信号の出力レベルが必要以上に低下するのを防止することが可能である。
【発明の効果】
【００４４】
本発明によれば、再生する音楽毎に、第１の音響信号と第２の音響信号との出力レベルの比率を最適化することができ、音楽の出力レベルを必要以上に低減することなく、合成音声等の聞き取りやすさを良好な状態に維持することができる。
【発明を実施するための最良の形態】
【００４５】
（第１の実施形態）
本発明の実施形態における音響出力制御装置に関する１つの実施形態について、図１〜図３、図５、図７〜図９を参照しながら以下に説明する。
【００４６】
図１は本発明の第１の実施形態における音響出力制御装置１００の主要な構成要素を示すブロック図である。図２は本発明の第１の実施形態における音響出力制御装置１００が利用する音楽管理データの具体例を示す模式図である。図３及び図５はそれぞれ本発明の第１の実施形態における音響出力制御装置１００の動作例を示すタイムチャートである。図７は本発明の第１の実施形態における音響出力制御装置１００の主要な動作を示すフローチャートである。図８は本発明の第１の実施形態における音響出力制御装置１００が実施する推定処理の内容を示すフローチャートである。図９は本発明の第１の実施形態における音響出力制御装置１００が実施する評価処理の内容を示すフローチャートである。
【００４７】
音響出力制御装置１００は、例えば携帯電話端末のように、合成音声を用いて着信通知のような通知に関するアナウンスを行う機能と、音楽プレーヤの機能とを有する装置を制御するために用いられる音響出力制御装置を想定している。すなわち、合成音声のアナウンスと音楽再生とを同時に行う場合に、音楽再生を停止しなくてもアナウンスの内容が聞き取りにくくならないように特別な制御を実施する。
【００４８】
図１に示すように、音響出力制御装置１００は、入力部１１、データ保持部１２、音楽再生処理部１３、合成音再生処理部１４、文字情報保持部１５、音響制御処理部１６、音量変更処理部１７、ミキシング処理部１８、音響評価処理部１９、推定部２１、および通信処理部２２を有する。
【００４９】
ここで、データ保持部１２は音楽情報記録部の一例である。また、推定部２１、音響評価処理部１９は最適レベル情報取得部の一例である。また、音響制御処理部１６は出力レベル調整部の一例である。
【００５０】
入力部１１はユーザの入力操作を受け付ける。例えば、ユーザの入力操作に従って、音楽プレーヤで再生する音楽を選択したり、音楽再生の開始や終了を指示したり、メール内容の読み上げ機能の開始などの操作を行うことができる。
【００５１】
データ保持部１２は、様々な音楽の再生に必要な音楽データ１２ａと、蓄積された音楽を管理するために用いられる音楽管理データ１２ｂとを保持している。データ保持部１２が保持するデータについては、必要に応じて追加、削除、変更などをすることができる。
【００５２】
音楽管理データ１２ｂの具体例が図２に示されている。図２に示す例では、音楽の曲毎に、それを区別する識別情報（ＩＤ）、曲名、アーティスト情報、ジャンル情報、「最適合成ピッチ」情報、「最適合成レベル」情報、「特定箇所最適合成レベル」情報、および「特定箇所情報」が音楽管理データ１２ｂとして保持されている。
【００５３】
図２に示す「最適合成ピッチ」情報は、それぞれの音楽の周波数特性を反映したピッチに関する情報であり、該当する音楽の再生により得られる音響と合成音声のアナウンスとを同時に出力する場合に、聞き取りが容易になるアナウンスの音質（周波数の高さ）を表している。
【００５４】
例えば、比較的低音の男性ボーカルを含む音楽の場合には、女性の声に似た比較的周波数の高い合成音声を用いてアナウンスを行うことにより、聞き取りやすさが改善される。逆に、比較的高音の女性ボーカルを含む音楽の場合には、男性の声に似た比較的周波数の低い合成音声を用いてアナウンスを行うことにより、聞き取りやすさが改善される。
【００５５】
また、図２に示す「最適合成レベル」情報は、それぞれの音楽の音響特性を反映した音量に関する情報であり、該当する音楽の再生により得られる音響と合成音声のアナウンスとを同時に出力する場合に、アナウンスの聞き取りが容易になる音楽の最適な音量レベル（％）を表している。例えば、ボーカルがなく楽器による演奏だけの音楽の場合には、音楽の音量レベルを下げなくても合成音声のアナウンスを容易に聞き取ることができる。一方、ボーカルが主体の音楽やロックのように音量の大きい状態が長く継続する音楽を再生する場合には、音楽の音量レベルを十分に抑制しないと合成音声のアナウンスは聞き取りにくくなる。尚、最適合成ピッチは、「低」、「中」、「高」などによって表している。
【００５６】
また、図２に示す「特定箇所最適合成レベル」情報は、それぞれの音楽の間奏部分のような特定箇所における音響特性を反映した音量に関する情報であり、該当する音楽の再生により得られる音響と合成音声のアナウンスとを同時に出力する場合に、前記特定箇所において、アナウンスの聞き取りが容易になる音楽の最適な音量レベル（％）を表している。
【００５７】
また、図２に示す「特定箇所情報」は、それぞれの音楽の中で間奏部分のような特定箇所が存在する位置や範囲を、音楽開始時点からの再生時間により表している。尚、「ａｌｌ」は音楽開始時点から音楽終了時点までの全範囲に渡って特定個所情報であることを示している。
【００５８】
音楽再生処理部１３は、データ保持部１２に蓄積されている音楽データ１２ａの中から再生用に選択された１つの音楽のデータを取り出し、復号処理やデジタル／アナログ変換処理などを行って音楽の音響信号（アナログ電気信号）を生成する。
【００５９】
合成音再生処理部１４は、事前に用意された様々な基礎的なデータに基づいて、デジタル信号処理により音声に似た合成音声のアナログ音響信号を生成する。また、合成音再生処理部１４はピッチを制御することにより、生成する合成音声の音質（周波数の高さ）を変えることもできる。
【００６０】
文字情報保持部１５は、合成音再生処理部１４によって生成される合成音声のアナウンスの内容に相当する文字情報を保持する。例えば、「メールを着信しました」と合成音声の音響出力によりアナウンスしようとする場合には、「メールを着信しました」に相当する文字列情報を文字情報保持部１５から合成音再生処理部１４に入力すればよい。
【００６１】
音響制御処理部１６は、音楽管理データ１２ｂの中で、音楽再生処理部１３が現在再生している特定の音楽に対応付けられたデータを利用して、音響として出力する音楽の出力レベルを最適化するように音量変更処理部１７を制御し、合成音再生処理部１４が生成する合成音声の音質を最適化するように合成音再生処理部１４を制御する。具体的な処理の内容については後で説明する。
【００６２】
音量変更処理部１７は、音響制御処理部１６から入力される制御信号（レベル）に従って、ミキシング処理部１８に入力される音楽の音量レベルを自動的に調整する。音量変更処理部１７は、音楽再生処理部１３から出力される音楽の音量レベルと、ミキシング処理部１８に入力される音楽の音量レベルとの比率を調整することができる。
【００６３】
ミキシング処理部１８は、音量変更処理部１７から出力される音楽の電気信号と、合成音再生処理部１４から出力される合成音声の電気信号とを（ミキシング）し、音響に相当する１つの電気信号として出力する。なお、ミキシング処理部１８を省略し、音楽と合成音声とをそれぞれ独立したスピーカから同時に音響として出力することも可能である。
【００６４】
音響評価処理部１９は、該当する音楽管理データ１２ｂが存在しないような場合に、音響評価処理部１９で再生される音楽の電気信号の内容を自動的に評価することにより、必要な音楽管理データ１２ｂを生成する。
【００６５】
例えば、音響評価処理部１９の出力に得られる音楽の電気信号を監視することにより、音量の時間変化を認識できるので、間奏区間のような特定領域の範囲を検出したり、特定領域における音量レベルを検出することができるので、これらの検出結果を利用して、前述の「特定箇所最適合成レベル」情報や「特定箇所情報」を生成することができる。
【００６６】
また、音響評価処理部１９の出力に得られる音楽の電気信号を周波数帯域毎に区分するフィルタに通したり、あるいは高速フーリエ変換処理（ＦＦＴ）を用いて分析することにより、周波数スペクトルの分布状況を該当する音楽について調べることができるので、その結果からボーカルの有無を推定したり、ボーカルが男性か女性かを推定することもできる。このような推定の結果を利用することにより、前述の「最適合成ピッチ」情報や、「最適合成レベル」情報を生成することができる。
【００６７】
音楽データベース２０は、データ保持部１２上に必要な音楽管理データ１２ｂが存在しない場合や、音楽管理データ１２ｂの内容の精度を高める場合に利用される。音楽データベース２０に蓄積するデータの内容については、例えば図２に示した音楽管理データと同様のものでも構わない。音楽データベース２０をインターネットのような公共の通信網上に配置することにより、様々な端末が同じデータを共有できる。
【００６８】
推定部２１は、音楽データベース２０から取得したデータを用いて、最適な音楽管理データ１２ｂを生成するための推定処理を実施する。推定処理の内容については後で詳細に説明する。
【００６９】
通信処理部２２は、インターネットのような公共の通信網上に配置された音楽データベース２０にアクセスすることが可能であり、各種データの通信を行う。
【００７０】
図１に示す音響出力制御装置１００の基本的な動作が図７に示されている。図７に示す内容について以下に説明する。
【００７１】
まず、図示しない制御部が入力部１１の状態を監視することにより、利用者の入力操作を検出し音楽再生指示が発生したか否かを識別する（ステップＳ１１）。音楽再生指示が発生すると次のステップＳ１２に進む。
【００７２】
ステップＳ１１の結果が真の場合、図示しない制御部が利用者からの入力操作に従って再生対象として選択された特定の音楽に対応する音楽管理データ１２ｂをデータ保持部１２上で検索し、該当する音楽管理データ１２ｂが存在するか否かを識別する（ステップＳ１２）。該当する音楽管理データ１２ｂが存在する場合にはステップＳ１４に進み、存在しない場合には次のステップＳ１３に進む。
【００７３】
ステップＳ１２の結果が偽の場合、必要な音楽管理データ１２ｂが存在しないので、これを取得するための処理が実施される（ステップＳ１３）。具体的には、音響評価処理部１９が音楽管理データ１２ｂに相当するデータを生成するか、又は通信処理部２２が音楽データベース２０から音楽管理データ１２ｂに相当するデータをダウンロードするか、あるいは推定部２１が推定処理により音楽管理データ１２ｂに相当するデータを生成する。推定処理については後で説明する。
【００７４】
次に、合成音再生処理部１４が合成音声の信号を出力しているかどうかを確認する（ステップＳ１４）。例えば、音楽の再生中に電話の着信やメールの着信が発生し、着信通知を合成音声の音響を利用したアナウンスにより行うような場合には、ステップＳ１４から次のステップＳ１５に進む。
【００７５】
ステップＳ１４の結果が真の場合、図示しない制御部は、再生中の音楽に対応する音楽管理データ１２ｂの内容を参照することにより、再生中の音楽の音響特性を把握する（ステップＳ１５）。
【００７６】
次に、図示しない制御部はステップＳ１５で参照した音楽管理データ１２ｂの中に「最適合成ピッチ」情報が含まれているか否かを識別する（ステップＳ１６）。これが含まれている場合には次のステップＳ１７に進み、含まれていない場合はステップＳ１８に進む。
【００７７】
ステップＳ１６の結果が真の場合、該当する音楽管理データ１２ｂに含まれている「最適合成ピッチ」情報に従って、音響制御処理部１６が合成音再生処理部１４の出力する合成音声の音質（周波数の高さ）を決定する（ステップＳ１７）。例えば、データ保持部１２上に図２に示すような音楽管理データ１２ｂが存在する場合に、ＩＤが「００２」の音楽を再生しているときには、該当する音楽に対応付けられた「最適合成ピッチ」情報が「低」なので、合成音声として比較的周波数の低い（低ピッチの）疑似音声（例えば男性の声に似た音響）を生成するように音響制御処理部１６は合成音再生処理部１４を制御する。
【００７８】
次に、図示しない制御部が現在再生中の音楽の再生開始時点からの経過時間を表す情報を所定のタイマから取得し、この時間が該当する音楽管理データ１２ｂに含まれている「特定箇所情報」の時間帯と一致するか否かを識別する（ステップＳ１８）。一致する場合には次にステップＳ１９に進み、一致しなければステップＳ２０に進む。
【００７９】
ステップＳ１８の結果が真の場合、現在再生中の音楽に対応する音楽管理データ１２ｂに含まれている「特定箇所最適合成レベル」情報の内容に従って、音響制御処理部１６が音量変更処理部１７を制御し、再生中の音楽の音量を抑制する（ステップＳ１９）。例えば、データ保持部１２上に図２に示すような音楽管理データ１２ｂが存在する場合に、ＩＤが「００２」の音楽を再生しているときには、該当する音楽に対応付けられた「特定箇所最適合成レベル」情報が「８０％」なので、特定箇所の時間帯、つまり、再生開始時点からの経過時間が１分３０秒〜１分４０秒の間、又は２分４０秒から２分５０秒の間にあるときには、音響制御処理部１６が音量変更処理部１７の出力レベルを通常よりも２０％抑制し、８０％の音量に制御する。
【００８０】
ステップＳ１８の結果が偽の場合、現在再生中の音楽に対応する音楽管理データ１２ｂに含まれている「最適合成レベル」情報の内容に従って、音響制御処理部１６が音量変更処理部１７を制御し、再生中の音楽の音量を抑制する（ステップＳ２０）。例えば、データ保持部１２上に図２に示すような音楽管理データ１２ｂが存在する場合に、ＩＤが「００２」の音楽を再生しているときには、該当する音楽に対応付けられた「最適合成レベル」情報が「２０％」なので、特定箇所以外の時間帯では、音響制御処理部１６が音量変更処理部１７の出力レベルを通常よりも８０％抑制し、２０％の音量に制御する。
【００８１】
次に、ミキシング部１８が合成音声の出力が終了したか否かを識別する（ステップＳ２１）。ステップＳ２１の結果が偽の場合、つまり合成音声の出力が継続している間は、ステップＳ１８以降の処理を繰り返して音楽の音量を通常よりも抑制する。一方、ステップＳ２１の結果が真の場合、つまり合成音声の出力が終了した場合には、処理は終了する。
【００８２】
従って、図７に示すような制御を実施することにより、ミキシング処理部１８の出力に得られる音響信号のレベル（実際にスピーカから出力される音量に相当）は、例えば図３に示すような変化を示す。
【００８３】
図３においては、時刻ｔ１から音楽の再生を開始し、再生途中の時刻ｔ２で合成音声の出力が開始され、時刻ｔ４で合成音声の出力が終了した場合を想定している。また、時刻ｔ２〜ｔ３の間は再生中の音楽における間奏部分のような特定区間であり、時刻ｔ３以降は再生中の音楽の有声部分（ボーカル等に相当）である。図３においては太実線が音楽の音量レベルを示し、太破線が合成音（通話音も同様）の音量レベルを示している。
【００８４】
つまり、時刻ｔ１〜ｔ２の範囲のように音楽だけを出力しているときには、音楽の音量レベルは通常レベル（１００％）に固定され、時刻ｔ２〜ｔ３の範囲のように音楽の間奏部分で同時に合成音声が出力される場合には、音楽の音量レベルは「特定箇所最適合成レベル」に従って通常よりも抑制され、時刻ｔ３〜ｔ４の範囲のように音楽の有声部分で同時に合成音声が出力される場合には、音楽の音量レベルは「最適合成レベル」に従って通常よりも抑制され、合成音声の出力が終了すると音楽の音量レベルは通常レベルに復帰する。
【００８５】
また、時刻ｔ２〜ｔ４の範囲では、実際に出力する音楽の音量レベルをそのときに入力部１１が検出した利用者からの入力操作に従って更に下げたり上げたりするように制御してもよい。また、このときの入力操作に従って、音楽管理データ１２ｂにおける「最適合成レベル」又は「特定箇所最適合成レベル」の内容を修正しても良い。
【００８６】
図５に示す動作例では、複数曲の音楽を連続的に再生する場合を想定している。この例では、音楽のイントロ部分と、間奏部分と、後奏部分とをそれぞれ特定箇所として検出し、イントロ部分と、間奏部分と、後奏部分とのそれぞれの区間で前述の「特定箇所最適合成レベル」を適用している。一方、音楽の有声部分は非特定個所として検出し、有声部分の区間で前述の「最適合成レベル」を適用している。勿論、合成音声あるいは通話音が現れる「音ミキシング期間」以外では音声の聞きやすさを考慮する必要がないので、音量を通常レベル（１００％）に戻している。また、曲毎に独立した音楽管理データ１２ｂを利用するので、「特定箇所最適合成レベル」や「最適合成レベル」は曲毎に変化する。
【００８７】
ここで、図５において、ｔ０〜ｔ６の区間は１曲目、ｔ６〜ｔ８の区間は２曲目が再生されている。また、ｔ０〜ｔ１、ｔ６〜ｔ７の区間はイントロ部分である。また、ｔ１〜ｔ２、ｔ４〜ｔ５の区間は有声部分である。また、ｔ３〜ｔ４の区間は間奏部分である。また、ｔ５〜ｔ６の区間は後奏部分である。また、音ミキシング期間は、ｔ２〜ｔ７の区間である。
【００８８】
また、図５において太実線は音楽の音量レベルを示し、太破線は合成音（通話音を含む）の音量レベルを示している。また、各区間の音量レベルに関しては、ｔ０〜ｔ２の区間は通常レベル、ｔ２〜ｔ３およびｔ４〜ｔ５の区間は１曲目の最適合成レベル、ｔ３〜ｔ４およびｔ５〜ｔ６の区間は１曲目の特定個所最適合成レベル、ｔ６〜ｔ７は２曲目の特定個所最適合成レベルを示している。
【００８９】
必要な音楽管理データ１２ｂが存在しない場合、音楽管理データ１２ｂの情報が不足している場合、あるいは既に存在する音楽管理データ１２ｂの内容をより適切な内容に修正するような場合に推定部２１によって行われる推定処理の内容が図８に示されている。図８に示す推定処理の内容について以下に説明する。
【００９０】
まず、推定すべき音楽に割り当てられたＩＤに従って、推定部２１は音楽データベース２０にアクセスし該当する音楽に関連する情報が存在すればそれを取得する（ステップＳ３１）。ここで取得する情報には、該当する音楽のアーティストを示す情報、音楽のジャンルを示す情報、音楽あるいはそれを記録した記録媒体なとが制作された年代を表す年代情報などが含まれる。
【００９１】
次に、推定部２１は音楽管理データ１２ｂにアーティスト情報が存在する場合はそれに基づいて、該当する音楽にボーカルが含まれているか否か、ボーカルの男性／女性の区別などの情報を音楽データベース２０にアクセスし取得する、または推定する（ステップＳ３２）。例えば、アーティスト名を調べることにより、音楽の主体となるアーティストが楽器の奏者かボーカルかを区別することが可能であり、ボーカルが男性か女性かを区別することも可能である。
【００９２】
次に、推定部２１は音楽管理データ１２ｂにジャンル情報が存在する場合はそれに基づいて、該当する音楽の音質を推定する（ステップＳ３３）。すなわち、ジャズ、ボーカル、ロック、クラシックのようなジャンルの違いによる音響特性の特徴が、音楽と同時に出力される合成音声などのアナウンスの聞き取りやすさに影響するので、このような音響特性の特徴を推定する。
【００９３】
次に、推定部２１は音楽管理データ１２ｂに年代情報が存在する場合はそれに基づいて、該当する音楽の音質を推定する（ステップＳ３４）。すなわち、制作された年代に応じて、音楽自体の音響特性や、使用する楽器の音響特性の違いや、録音に使用する機材の音響特性の違いなどが発生するので、これらの違いが音楽と同時に出力される合成音声などのアナウンスの聞き取りやすさに影響する。そこで、年代情報に応じた音響特性の特徴を推定する。
【００９４】
次に、ステップＳ３２、Ｓ３３およびＳ３４で推定された特徴を反映するように、推定部２１は前述の「最適合成レベル」及び「最適合成ピッチ」を推定し、その結果を音楽管理データ１２ｂとしてデータ保持部１２に登録する（ステップＳ３５）。既に該当する音楽の音楽管理データ１２ｂが存在する場合には、ステップＳ３２、Ｓ３３、Ｓ３４で推定された特徴を反映するように、音楽管理データ１２ｂの「最適合成レベル」及び「最適合成ピッチ」の内容を修正すればよい。その後、推定処理を終了する。
【００９５】
尚、推定アルゴリズムを更新することで、前述の推定部２１による推定精度を向上することも可能である。
【００９６】
必要な音楽管理データ１２ｂが存在しない場合には、音響評価処理部１９が行う評価処理によって、音楽管理データ１２ｂを生成することもできる。この評価処理の内容が図９に示されている。図９に示す内容について以下に説明する。
【００９７】
まず、音響評価処理部１９は評価対象の音楽を音楽再生処理部１３で再生し、音楽再生処理部１３から出力される音響の電気信号の状態の監視を開始する（ステップＳ４１）。
【００９８】
次に、音楽再生処理部１３から出力される音響の電気信号に関するレベルを一定時間毎に検出し、音楽再生を開始した時刻からの経過時間を表す時間情報とともにレベルをデータ保持部１２もしくはデータ保持部１２に相当するものに記録する（ステップＳ４２）。
【００９９】
次に、音響評価処理部１９は音楽再生処理部１３から出力される音響の電気信号に関する周波数スペクトルを監視して、周波数の領域毎に音響信号成分の積算値を計算する（ステップＳ４３）。なお、周波数スペクトルについては、周波数弁別用のフィルタを用いるか、あるいはフーリエ変換処理（ＦＦＴ）を実施することにより検出できる。
【０１００】
次に、音響評価処理部１９は音楽の再生が終了したか否かを識別する（ステップＳ４４）。終了してなければステップＳ４２に戻り、終了した場合には次のステップＳ４５に進む。
【０１０１】
ステップＳ４４の結果が真の場合、音響評価処理部１９は、前述のステップＳ４２で周期的に記録された信号レベルのデータを読み込み、各時点の信号レベルを予め定めた閾値と比較することにより、前述の特定箇所か否かを識別し、特定箇所を表す時間情報の内容を決定する（ステップＳ４５）。
【０１０２】
次に、音響評価処理部１９はステップＳ４５で検出された特定箇所の範囲内における信号レベルの平均値などを求め、その結果に基づいて前述の「特定箇所最適合成レベル」を決定する（ステップＳ４６）。
【０１０３】
次に、音響評価処理部１９はステップＳ４５で検出された特定箇所以外の信号レベルの平均値などを求め、その結果に基づいて前述の「最適合成レベル」を決定する（ステップＳ４７）。
【０１０４】
次に、音響評価処理部１９は前述のステップＳ４３の処理により積算された周波数領域毎の積算値の内容に基づいて、前述の「最適合成ピッチ」の内容を決定する（ステップＳ４８）。例えば、音声が現れる所定の周波数帯域の中で、積算値が最も小さくなる周波数を検出し、その周波数に近い内容を「最適合成ピッチ」として登録すればよい。あるいは、音声が現れる所定の周波数帯域の中で、積算値が最も大きくなる周波数を検出し、その周波数から大きく離れた周波数を「最適合成ピッチ」として登録してもよい。ステップＳ４８終了後、評価処理は終了する。
【０１０５】
このような本発明の第１の実施形態における音響出力制御装置１００は、音楽に関する第１の音響信号と、電気的に生成された合成音声もしくは通信により得られる音声を含む第２の音響信号とを同時に出力する場合に出力の制御を行う音響出力制御装置１００であって、音楽の特性を含む音楽情報を記録するデータ保持部１２と、音楽の特性に基づいて、第１の音響信号と第２の音響信号とを同時に出力する際に最適な出力レベルに関する最適レベル情報を取得する最適レベル情報取得部と、最適レベル情報に基づいて、第１の音響信号および第２の音響信号の少なくとも一方の出力レベルを調整する音響制御処理部１６とを有する構成とすることで、音楽の再生により得られる第１の音響信号と、アナウンスのような合成音声や通話音声などを含む第２の音響信号とを同時に音響として出力する場合に、第２の音響信号の音声の内容を聞き取りやすくすると共に、第１の音響信号の出力レベルが必要以上に低下するのを防止することができる。
【０１０６】
（第２の実施形態）
本発明の実施形態における音響出力制御装置に関するもう１つの実施形態について、図４、図６、図１０及び図１１を参照しながら以下に説明する。
【０１０７】
図４は本発明の第２の実施形態における音響出力制御装置４００の主要な構成要素を示すブロック図である。図６は本発明の第２の実施形態における音響出力制御装置４００の動作例を示すタイムチャートである。図１０は本発明の第２の実施形態における音響出力制御装置４００の主要な動作を示すフローチャートである。図１１は本発明の第２の実施形態における音響出力制御装置４００の主要な動作の変形例を示すフローチャートである。
【０１０８】
本実施形態は、第１の実施形態の変形例である。音響出力制御装置４００において、第１の実施形態の音響出力制御装置１００と対応する要素は同一の符号を付し、説明を省略する。本発明の第１の実施形態では、合成音声を用いたアナウンスと音楽とを同時に音響として出力する場合の音響制御を想定しているが、第２の実施形態では、携帯電話端末等において音楽の再生中に通話音声が聞き取りやすくなるような制御を行うことを想定している。
【０１０９】
図４に示すように、音響出力制御装置４００は、入力部１１、データ保持部１２、音楽再生処理部１３、音響制御処理部１６Ｂ、音量変更処理部１７Ｂ、ミキシング処理部１８、音響評価処理部１９、推定部２１、通話部３０、および無音検知部３１を有する。
【０１１０】
ここで、音響制御処理部１６Ｂは出力レベル調整部の一例である。また、無音検知部３１は通話音監視部の一例である。
【０１１１】
通話部３０は、携帯電話などの電話用の通信網を経由して任意の相手局との間で通話するための通信機能を備えている。相手局から送出された音声などの受話音が通話部３０から出力され、ミキシング処理部１８及び無音検知部３１に入力される。
【０１１２】
無音検知部３１は、通話部３０から出力される受話音の信号レベルを監視して、無音状態になったか否かを識別する。この結果、無音状態であると識別された場合、無音通知として音量変更処理部１７Ｂに入力される。
【０１１３】
音響制御処理部１６Ｂは、音楽管理データ１２ｂの中で、音楽再生処理部１３が現在再生している特定の音楽に対応付けられたデータを利用して、通話部３０から出力される受話音が聞き取りやすくなるように、音響として出力する音楽の出力レベルを最適化するように制御する。また、音響制御処理部１６Ｂは、後述するようなボーカル抑制処理、音声定位処理なども行う。具体的な処理の内容については後で説明する。
【０１１４】
音量変更処理部１７Ｂは、音響制御処理部１６Ｂから入力される制御信号（レベル）に従って、ミキシング処理部１８に入力される音楽の音量レベルを自動的に調整する。音量変更処理部１７Ｂは、音楽再生処理部１３から出力される音楽の音量レベルと、ミキシング処理部１８に入力される音楽の音量レベルとの比率を調整することができる。
【０１１５】
図４に示す音響出力制御装置４００の基本的な動作が図１０に示されている。図１０に示す内容について以下に説明する。なお、図１０において、既に説明した図７中の処理と対応するステップは図７と同一の番号を付し、説明を省略する。
【０１１６】
まず、ステップＳ１１〜Ｓ１３の処理が行われる。
【０１１７】
次に、図示しない制御部は通話部３０の動作を監視することにより、通話が開始されたか否かを調べる（ステップＳ１４Ｂ）。通話が開始されてない場合はステップＳ１４Ｂの直前へ戻り、通話が開始されると次のステップＳ１５に進む。
【０１１８】
次に、ステップＳ１５の処理が行われる。
【０１１９】
次に、無音検知部３１が通話部３０から出力される受話音声の信号レベルを監視し、受話音声の信号レベルを予め定めた閾値と比較する（ステップＳ５１）。受話音声の信号レベルが閾値よりも低レベルになったことを検出した場合には、無音区間を検出したものとみなし、ステップＳ５２に進む。受話音声の信号レベルが閾値よりも大きい場合には、ステップＳ５１の次にステップＳ１８に進む。
【０１２０】
ステップＳ５１において無音区間が検出された場合、受話音が無音状態であるため、受話音声の聞き取りやすさに配慮する必要がないので、無音検知部３１が「無音通知」を音量変更処理部１７Ｂに出力し、再生する音楽の音量レベルを通常レベル（自動制御による抑制のない１００％のレベル）に戻す（ステップＳ５２）。ステップＳ５２の終了後は、ステップＳ５１の処理が行われる。
【０１２１】
ステップＳ５１において無音区間が検出されなかった場合、ステップＳ１８〜Ｓ２０の処理が行われる。
【０１２２】
次に、図示しない制御部が通話部３０の状態（例えば通信回線の接続状態）を監視して、通話が終了したか否かを調べる（ステップＳ２１Ｂ）。ステップＳ２１Ｂの結果、通話が終了してなければ、ステップＳ２１ＢからステップＳ５１の処理に戻って制御を継続する。一方、ステップＳ２１Ｂの結果、通話が終了している場合には、処理を終了する。
【０１２３】
本実施形態においては、図６に示す動作例に関して、音楽の再生中に、時刻ｔ１〜ｔ４の期間（音ミキシング期間）に渡って利用者が電話で通話を行う場合を想定している。従って、音ミキシング期間以外では音楽の音量は通常レベル（１００％）であるが、音ミキシング期間では前述の音楽管理データ１２ｂの内容に従って、再生する音楽の音量レベルが自動的に調整（抑制）される。すなわち、音楽のイントロ部分、間奏部分、後奏部分のような特定箇所では「特定箇所最適合成レベル」が適用され、それ以外の有声部分では「最適合成レベル」が適用される。
【０１２４】
また、図６に示す時刻ｔ２〜ｔ３の期間（通話音無音期間）では、無音検知部３１が無音状態を検出するので、通話状態が継続していても、音楽の音量は一時的に通常レベルに戻る。
【０１２５】
ここで、図６において、ｔ２〜ｔ９の区間は音ミキシング期間である。また、ｔ５〜ｔ７の区間は通話音無音期間である。また、ｔ０〜ｔ８の区間は１曲目、ｔ８〜ｔ９の区間は２曲目が再生されている。また、ｔ０〜ｔ１、ｔ８〜ｔ９の区間はイントロ部分である。また、ｔ１〜ｔ３、ｔ４〜ｔ６の区間は有声部分である。また、ｔ３〜ｔ４の区間は間奏部分である。また、ｔ６〜ｔ８の区間は後奏部分である。
【０１２６】
また、図６において太実線は音楽の音量レベルを示し、太破線は通話音の音量レベルを示している。また、音量レベルに関しては、ｔ０〜ｔ２およびｔ５〜ｔ７の区間は通常レベル、ｔ２〜ｔ３およびｔ４〜ｔ５の区間は１曲目の最適合成レベル、ｔ３〜ｔ４およびｔ７〜ｔ８の区間は１曲目の特定個所最適合成レベル、ｔ８〜ｔ９の区間は２曲目の特定個所最適合成レベルを示している。
【０１２７】
図１０に示した動作の変形例が図１１に示されている。図１１においてはステップＳ６１、Ｓ６２、Ｓ６３の各処理が新たに追加されている。それ以外のステップについては図１０と同一である。なお、ステップＳ６１、Ｓ６２、Ｓ６３の中のいずれか１つの処理を追加するだけでも好ましい結果が得られる。
【０１２８】
まず、Ｓ１１〜Ｓ１３、Ｓ１４Ｂ、Ｓ１５、Ｓ５１の処理が行われ、必要があればＳ５２の処理が行われる。
【０１２９】
ステップＳ５１において無音区間が検知されなかった場合、音響制御処理部１６Ｂはボーカル抑制処理を実施する（ステップＳ６１）。すなわち、再生する音楽の中で、ボーカルに関する音響成分を他の音響成分に比べて特別にレベルを低減する。例えば、音楽の中でボーカルに相当する周波数帯域だけレベルを抑制しても良いし、ステレオ音響であれば立体音響空間の中で特定の位置（一般的には中央）に位置する音響成分をボーカル成分として抽出し、ボーカル成分のレベルを抑制するように制御すればよい。音楽中のボーカル成分の音量を抑制すれば、他の合成音声や通話音はより聞き取りやすくなる。
【０１３０】
次に、音響制御処理部１６Ｂは音声定位処理を実施する（ステップＳ６２）。例えば、ステレオ音響として再生される音楽にボーカルが含まれている場合には、ボーカルは一般的に立体音響空間の中で特定の位置（一般的には中央）に位置しているため、音楽と同時に現れる合成音声や通話音と音楽中のボーカルとを人間は区別しにくい。そこで、立体音響空間の中でボーカル成分が現れる位置が、合成音声や通話音と離れた位置になるようにボーカルの定位を変更することにより、合成音声や通話音が聞き取りやすくなる。ボーカルの信号成分については、上述のように周波数帯の区別などにより抽出することができる。また、定位については、ステレオ音響を構成する右側音源の音響成分と左側音源の音響成分との位相や音量バランスを調整することにより変更することができる。
【０１３１】
次に、入力部１１による利用者の入力操作に従って、音響制御処理部１６Ｂは最適レベル修正処理を実施する（ステップＳ６３）。すなわち、前述の音楽管理データ１２ｂに登録されている「最適合成レベル」や「特定箇所最適合成レベル」が常に最適であるとは限らないので、実際に音楽の再生中に通話を実施すると、利用者が通話内容を聞き取りにくいと感じる場合もあるし、逆に通話中の音楽の音量がもう少し大きくても通話の聞き取りに支障がないと感じる場合もありうる。そこで、図示しない制御部が入力部１１の状態を監視して利用者からの入力操作の有無を調べ、入力操作を検出した場合に、操作されたキーの区分に応じて、音量変更処理部１７Ｂは音楽の音量レベルを所定量だけ低減するか又は所定量だけ増大する。また、音楽の音量レベルを変更する際に、同時に音楽管理データ１２ｂとして登録されている「最適合成レベル」又は「特定箇所最適合成レベル」の内容が同時に調整されるようにしてもよい。従って、通話中に再生される音楽の音量レベルを利用者の好みに応じて入力部１１による入力操作で調整することもできる。
【０１３２】
なお、上記の説明では音楽の音量だけを自動的に調整する場合を想定しているが、代わりに通話音のレベルを自動的に調整しても良いし、音楽の音量と通話音の音量との両方を調整しても良い。
【０１３３】
なお、図４に示す音響出力制御装置４００は、音楽の電気信号と受話音の電気信号とをミキシング処理部１８でミキシングして単一のスピーカから出力する場合を想定しているが、ミキシング処理部１８を省略し、音楽と受話音とをそれぞれ独立したスピーカから出力しても良い。また、図１に示した音響出力制御装置１００においても、ミキシング処理部１８を省略し、音楽と合成音声とをそれぞれ独立したスピーカから出力しても良い。
【０１３４】
なお、上記の説明では、携帯電話端末が出力する音響を音響出力制御装置１００もしくは４００で自動的に制御する場合を想定しているが、例えば音楽プレーヤの機能を搭載したカーナビゲーション装置のように、音楽と合成音声のアナウンスとが同時に出力されるような環境では、携帯電話端末の場合と同様の制御を適用することができる。この適用により、例えば音楽プレーヤの機能を搭載したカーナビゲーション装置においても、音楽プレーヤを利用して所望の音楽を視聴している途中で、同時に道案内の音声メッセージなどが音響として同時に出力される場合であっても、道案内の音声メッセージが聞き取りにくくなってしまうことを防止することができる。
【０１３５】
このような本発明の第２の実施形態における音響出力制御装置４００は、第２の音響信号として含まれる通話の信号レベルを監視する無音検知部３１を有し、音響制御処理部１６Ｂが、無音検知部３１による監視によって無音状態が検出された場合、最適レベル情報に基づいた音響出力レベルの調整を一時的に解除する構成とすることで、第２の音響信号の信号レベルが無音状態になった時に、自動調整を一時的に解除して、第１の音響信号として含まれる音楽の出力レベルを通常レベルに戻すことができるので、第１の音響信号の出力レベルが必要以上に低下するのを防止する。
【０１３６】
また、音楽プレーヤの機能を搭載した携帯電話端末を使用する場合のように、音楽の再生中に合成音声のアナウンスが流れる場合や、音楽の再生中に通話を行う場合のような環境において、本発明を適用することにより、合成音声や通話音の聞き取りが容易になる。特に、利用者が様々な種類の音楽を連続的に再生する場合であっても、それぞれの音楽の内容に応じて自動的に、音楽の音響出力レベルなどを最適化できるので、通話等の際に音楽の再生を中止する必要もないし、音響出力レベルを調整する必要もなくなる。
【０１３７】
以上のように、音楽プレーヤの機能を搭載した携帯電話端末を使用する場合のように、音楽の再生中に合成音声のアナウンスが流れる場合や、音楽の再生中に通話を行う場合のような環境において、本発明を適用することにより、合成音声や通話音の聞き取りが容易になる。特に、利用者が様々な種類の音楽を連続的に再生する場合であっても、それぞれの音楽の内容に応じて自動的に、音楽の音響出力レベルなどを最適化できるので、通話等の際に音楽の再生を中止する必要もないし、音響出力レベルを調整する必要もなくなる。
【産業上の利用可能性】
【０１３８】
本発明は、音楽の再生により得られる第１の音響信号と、アナウンスのような合成音声や通話音声などを含む第２の音響信号とを同時に音響として出力する場合に、第２の音響信号の音声の内容を聞き取りやすくすると共に、第１の音響信号の出力レベルが必要以上に低下するのを防止する音響出力制御装置等に有用である。
【図面の簡単な説明】
【０１３９】
【図１】本発明の第１の実施形態における音響出力制御装置の主要な構成要素を示すブロック図である。
【図２】本発明の第１の音響出力制御装置が利用する音楽管理データの具体例を示す模式図である。
【図３】本発明の第１の実施形態における音響出力制御装置の動作例を示すタイムチャートである。
【図４】本発明の第２の実施形態における音響出力制御装置の主要な構成要素を示すブロック図である。
【図５】本発明の第１の実施形態における音響出力制御装置の動作例を示すタイムチャートである。
【図６】本発明の第２の実施形態における音響出力制御装置の動作例を示すタイムチャートである。
【図７】本発明の第１の実施形態における音響出力制御装置の主要な動作を示すフローチャートである。
【図８】本発明の第１の実施形態における音響出力制御装置が実施する推定処理の内容を示すフローチャートである。
【図９】本発明の第１の実施形態における音響出力制御装置が実施する評価処理の内容を示すフローチャートである。
【図１０】本発明の第２の実施形態における音響出力制御装置の主要な動作を示すフローチャートである。
【図１１】本発明の第２の実施形態における音響出力制御装置の動作の変形例を示すフローチャートである。
【符号の説明】
【０１４０】
１００、４００  音響出力制御装置
１１  入力部
１２  データ保持部
１２ａ  音楽データ
１２ｂ  音楽管理データ
１３  音楽再生処理部
１４  合成音再生処理部
１５  文字情報保持部
１６，１６Ｂ  音響制御処理部
１７，１７Ｂ  音量変更処理部
１８  ミキシング処理部
１９  音響評価処理部
２０  音楽データベース
２１  推定部
２２  通信処理部
３０  通話部
３１  無音検知部
【図１】
2008096483.tif 000003
【図２】
2008096483.tif 000004
【図３】
2008096483.tif 000005
【図４】
2008096483.tif 000006
【図５】
2008096483.tif 000007
【図６】
2008096483.tif 000008
【図７】
2008096483.tif 000009
【図８】
2008096483.tif 000010
【図９】
2008096483.tif 000011
【図１０】
2008096483.tif 000012
【図１１】
2008096483.tif 000013